(57)【特許請求の範囲】
【請求項１】
ネットワークを介して複数の注文者側のコンピュータと接続されるサーバに設定された販売価格出力システムであって、前記注文者側のコンピュータで作動するブラウザソフトが操作されて、前記サーバに前記ネットワークを介して注文数量が入力されたとき、前記注文者側のコンピュータで作動する前記ブラウザソフトを介して表示価格を出力し得るように構成された販売価格出力システムにおいて、
前記サーバには、
当該商品の基準価格が設定された設定手段と、
当該商品の在庫数量を、注文が決定する度に、もしくは日付が変わる度に、各商品毎に自動的に更新する在庫数量更新手段と、
商品に対する注文者側からの注文数量を認識する認識手段と、
商品に対する前記注文数量をＮ、変動率をＲ、在庫数量をＺ、基準価格をＫ、表示価格をＹとしたときに、
Ｒ＝（Ｎ−基準在庫数量）／Ｚ
Ｙ＝Ｋ（１＋Ｒ）
という計算式に基づいて、前記表示価格を前記基準価格より上昇もしくは下降させる価格決定手段と、
前記価格決定手段にて決定された表示価格データを、前記注文者側のコンピュータで作動する前記ブラウザソフトを介して前記注文者側のコンピュータに出力する価格出力手段と、
を備えるとともに、
前記価格決定手段にて決定された表示価格を、次の注文に対する基準価格として前記設定手段に更新設定するように構成されていることを特徴とする販売価格出力システム。
【発明の詳細な説明】
【技術分野】
【０００１】
本発明は、ネットワークを介して注文を受けて、状況に応じて変動する販売価格で販売するように構成された販売システムにおいて、前記販売価格を種々変動する状況に応じて自動的に決定して出力するための販売価格出力システムに関するものである。
【背景技術】
【０００２】
従来より、ネットワークを介して注文を受けて、状況に応じて変動する販売価格で販売するように構成された販売システムにおいては、注文数量に多少に関わらず一定の販売価格が維持される場合や、注文数量が多い注文に対しては注文数量が多いほど値引き率を高くして、より安価で販売するように販売価格が決定される場合がある。
【発明の開示】
【発明が解決しようとする課題】
【０００３】
ところが、上述したような従来のような価格決定システムでは、売れ行きが悪い商品はいつまでも売れ残り、売れ行きの良い商品は速く在庫が無くなったりするという在庫管理の問題がある。また、売れ行きの良い商品はもう少し高い価格でも売れたかもしれないため、利益を逃がしてしまう場合もある。【０００４】
そこで、本発明は、売れ行きが悪い商品は価格を下げ、売れ行きの良い商品は価格を上げる方向に価格を決定するシステムを提案し、より効果的な在庫管理と利益確保を実現することを目的としてなされたものである。
【課題を解決するための手段】
【０００５】
本発明にかかる販売価格出力システムの請求項１では、
ネットワークを介して複数の注文者側のコンピュータと接続されるサーバに設定された販売価格出力システムであって、前記注文者側のコンピュータで作動するブラウザソフトが操作されて、前記サーバに前記ネットワークを介して注文数量が入力されたとき、前記注文者側のコンピュータで作動する前記ブラウザソフトを介して表示価格を出力し得るように構成された販売価格出力システムにおいて、
前記サーバには、
当該商品の基準価格が設定された設定手段と、
当該商品の在庫数量を、注文が決定する度に、もしくは日付が変わる度に、各商品毎に自動的に更新する在庫数量更新手段と、
商品に対する注文者側からの注文数量を認識する認識手段と、
商品に対する前記注文数量をＮ、変動率をＲ、在庫数量をＺ、基準価格をＫ、表示価格をＹとしたときに、
Ｒ＝（Ｎ−基準在庫数量）／Ｚ
Ｙ＝Ｋ（１＋Ｒ）
という計算式に基づいて、前記表示価格を前記基準価格より上昇もしくは下降させる価格決定手段と、
前記価格決定手段にて決定された表示価格データを、前記注文者側のコンピュータで作動する前記ブラウザソフトを介して前記注文者側のコンピュータに出力する価格出力手段と、
を備えるとともに、
前記価格決定手段にて決定された表示価格を、次の注文に対する基準価格として前記設定手段に更新設定するように構成されていることを特徴としている。
なお、注文者とは、実際に商品を注文する者も、購入意志を持って価格を確認しようとする者も含んでいる。
そして、商品に対する注文者側からの注文数量は、注文者側のコンピュータに入力されて、ネットワークを介して前記認識手段にて認識されるように構成してもよい。
【発明の効果】
【０００６】
本発明によれば、
商品に対する前記注文数量をＮ、変動率をＲ、在庫数量をＺ、基準価格をＫ、表示価格をＹとしたときに、
Ｒ＝（Ｎ−基準在庫数量）／Ｚ
Ｙ＝Ｋ（１＋Ｒ）
という計算式に基づいて、表示価格を決定することによって、
前記表示価格を前記基準価格より上昇もしくは下降させるように価格を決定し、
決定された表示価格データを、前記注文者側のコンピュータで作動する前記ブラウザソフトを介して前記注文者側のコンピュータに出力するので、適正な在庫管理と、適正な販売利益を確保することができる。
【発明を実施するための最良の形態】
【０００７】
以下に、本発明にかかる販売価格出力システムを、その実施の形態を示した図面に基づいて詳細に説明する。
図１において、
１は本発明にかかる販売価格出力システムが組み込まれた販売者側のコンピュータで構成されたサーバ、２は前記サーバ１にインターネット等のネットワークＮを介して接続可能に構成された注文者側のコンピュータである。【０００８】
前記サーバ１に組み込まれた販売価格出力システムは、
取り扱う多種の商品毎に当該商品の基準価格が設定された設定手段１１と、
商品に対する注文者側のコンピュータ２から送出された注文数量をネットワークＮを介して受信して認識する認識手段１２と、
商品に対する前記注文数量と当該商品の在庫数量とに応じて、当該商品の表示価格を前記基準価格より上昇もしくは下降させる価格決定手段１３と、
前記価格決定手段にて決定された表示価格データをネットワークＮを介して注文者側のコンピュータ２に出力する価格出力手段１４とを備えている。【０００９】
前記注文者側のコンピュータ２は、インターネットエクスプローラ（マイクロソフト社の登録商標）等のブラウザソフトを介して前記サーバ１に組み込まれた販売価格出力システムに対してネットワークＮを介して注文数量を送出し、また、前記販売価格出力システムから出力される販売価格をネットワークＮを介して受け取って画面表示等できるように構成されている。
さらに、前記販売価格を確認して発注データをサーバ１に送出する機能も備えている。【００１０】
前記サーバ１に組み込まれた販売価格出力システムには、
各商品について、表示価格決定手段としての関数
Ｙ＝ｆ（Ｎ，Ｚ，Ｋ）
（但し、Ｎは注文数量、Ｚは在庫数量、Ｋは基準価格、Ｙは表示価格とする。）
が組み込まれている。この販売価格出力システムの要部の動作を図２のフローチャートに示した。
前記在庫数量Ｚは、注文が決定する度に、もしくは日付が変る度に、各商品毎に在庫数量更新手段１５によって自動的に更新される。
また、前記設定手段１１は、注文が決定する度に、もしくは日付が変る度に、各商品毎の基準価格Ｋを、前記価格決定手段１３にて決定された販売価格に置き換えて更新設定するように構成されている。【００１１】
以上の構成によって、注文の多い売れ行きの良い商品の表示価格は高い価格に決定され、多くの利益を確保することができるとともに、急激に在庫が無くなることを防止できる。また、注文の少ない売れ行きの悪い商品の表示価格は低い価格に決定されるので売れやすくなり、在庫が膨らむことが防止される。
なお、上記ネットワークＮは、ＷＡＮやＬＡＮなどのネットワークを含み、テレビ放送機能を有した双方向通信システムに接続されたテレビ装置や、携帯電話向けの双方向通信機能を有した放送システム(ワンセグなど)に接続された携帯電話や、各種ネットワークに接続された店頭端末装置や、携帯電話や、PDAなどを利用した表示価格の出力機能も含んでいる。
また、商品に対する注文者側からの注文数量は、ＷＡＮやＬＡＮなどのネットワークや、テレビ放送機能を有した双方向通信システムに接続されたテレビ装置や、携帯電話向け
の双方向通信機能を有した放送システム(ワンセグなど)に接続された携帯電話や、各種ネットワークに接続された店頭端末装置や、携帯電話や、PDAや、注文者側で作成された注文葉書などの郵便物や、宅配業者便を用いた注文や、ファックスで電送された注文シートや、電話で連絡された注文情報を、スキャナや、音声認識手段や、オペレータによって操作されるキーボードなどを用いた認識手段を用いて認識してもよい。
また、前記商品は、有形の商品に限らず、リースや、マッサージや治療行為などの無形のサービスの提供や、ニュースや天気予報や株式情報などの各種情報の提供、ソフトウェアや音楽や映像などのデータのダウンロードサービスの提供や、宿泊の提供、コンサートなどのチケットなどの提供、金券の交換の提供、不動産の譲渡や貸与、ペットなどの生物の譲渡や貸与や販売、などの少なくとも何れか１つを含むものとする。
【実施例１】
【００１２】
実施例１として、
ある商品について、前記表示価格決定手段には、注文数量をＮ，在庫数量をＺ、基準価格をＫ、変動率をＲ、表示価格をＹとした場合に次のような関数Ｙ＝ｆ（Ｎ，Ｚ，Ｋ）が組み込まれている場合を説明する。
Ｒ＝（Ｎ−１００）／Ｚ
Ｙ＝Ｋ（１＋Ｒ）
ここで、前記基準価格Ｋ＝１００円と設定し、在庫数量Ｚ＝１０００個の状態を例にとって説明する。
なお、ここでは、基準在庫数量を１００とする。従って、注文数量が１００を越える場合には割り増しになり、１００未満の場合には割り引きになる。また、演算処理においては、適宜四捨五入するものとする。【００１３】
まず、第１注文として、
当該商品に対して或る注文者側のコンピュータ２から１００個の注文数量（Ｎ＝１００）が送出されると、前記サーバ１においては、Ｒ＝（１００−１００）／１０００＝０、表示価格Ｙ＝１００×（１＋０）＝１００と演算されて、１００円の表示価格データが送出される。従って、前記注文者側のコンピュータ２の画面には注文数量１００個に対して、単価１００円、総額１００００円の注文情報が表示される。この内容に納得して発注操作を行うと、注文者側のコンピュータ２からサーバ１へ発注データが送出され、サーバ１においては受注処理と、当該商品の発送処理が手続される。そして、在庫数量が９００個に更新される。【００１４】
続いて、第２注文として、
当該商品に対して或る注文者側のコンピュータ２（前記注文者と同じでも別でもよい。）から１０個の注文数量（Ｎ＝１０）が送出されると、前記サーバ１においては、Ｒ＝（１０−１００）／９００＝−０．１（即ち１０％割り引き）、表示価格Ｙ＝１００×（１−０．１）＝９０と演算されて、９０円の表示価格データが送出される。従って、前記注文者側のコンピュータ２の画面には注文数量１０個に対して、単価９０円、総額９００円の注文情報が表示される。この内容に納得して発注操作を行うと、注文者側のコンピュータ２からサーバ１へ発注データが送出され、サーバ１においては受注処理と、当該商品の発送処理が手続される。そして、在庫数量が８９０個に更新される。
このとき、設定手段における基準価格は１００円から９０円に更新設定されるとする。
第２注文では、第１注文より注文数量が少ないので、表示価格がより安価に決定されている。【００１５】
さらに続いて、第３注文として、
当該商品に対して或る注文者側のコンピュータ２（前記注文者と同じでも別でもよい。）から４００個の注文数量（Ｎ＝４００）が送出されると、前記サーバ１においては、Ｒ＝
（４００−１００）／８９０＝＋０．３４（即ち約３４％割り増し）、表示価格Ｙ＝９０×（１＋０．３４）＝１２１と演算されて、１２１円の表示価格データが送出される。従って、前記注文者側のコンピュータ２の画面には注文数量４００個に対して、単価１２１円、総額４８４００円の注文情報が表示される。この内容に納得して発注操作を行うと、注文者側のコンピュータ２からサーバ１へ発注データが送出され、サーバ１においては受注処理と、当該商品の発送処理が手続される。そして、在庫数量が４９０個に更新される。
このとき、設定手段における基準価格は１００円から１２１円に更新設定されるとする。
第３注文では、第１注文より注文数量が多いので、表示価格がより高く決定されている。【００１６】
また続いて、第４注文として、
当該商品に対して或る注文者側のコンピュータ２（前記注文者と同じでも別でもよい。）から１００個の注文数量（Ｎ＝１００）が送出されると、前記サーバ１においては、Ｒ＝（１００−１００）／８９０＝０、表示価格Ｙ＝１２１×（１＋０）＝１２１と演算されて、１２１円の表示価格データが送出される。従って、前記注文者側のコンピュータ２の画面には注文数量１００個に対して、単価１２１円、総額１２１００円の注文情報が表示される。この内容に納得して発注操作を行うと、注文者側のコンピュータ２からサーバ１へ発注データが送出され、サーバ１においては受注処理と、当該商品の発送処理が手続される。そして、在庫数量が３９０個に更新される。
第４注文では、第１注文と注文数量が同じであるが、在庫数量が減少しているので、表示価格がより高く決定されている。【００１７】
翌日は全く注文が無かった場合は、
前記サーバ１においては、Ｒ＝（０−１００）／３９０＝−０．２６（即ち約２６％割り引き）、表示価格Ｙ＝１２１×（１−０．２６）＝９０と演算されて、基準価格が９０円に更新設定される。
さらに、翌日も全く注文が無かった場合には、
前記サーバ１においては、Ｒ＝（０−１００）／３９０＝−０．２６（即ち約２６％割り引き）、表示価格Ｙ＝９０×（１−０．２６）＝６７と演算されて、基準価格が６７円に更新設定される。【００１８】
従って、第５注文として、
当該商品に対して或る注文者側のコンピュータ２（前記注文者と同じでも別でもよい。）から１０個の注文数量（Ｎ＝１０）が送出されると、前記サーバ１においては、Ｒ＝（１０−１００）／３９０＝−０．２３（即ち約２３％割り引き）、表示価格Ｙ＝６７×（１−０．２３）＝５２と演算されて、５２円の表示価格データが送出される。従って、前記注文者側のコンピュータ２の画面には注文数量１０個に対して、単価５２円、総額５２０円の注文情報が表示される。この内容に納得して発注操作を行うと、注文者側のコンピュータ２からサーバ１へ発注データが送出され、サーバ１においては受注処理と、当該商品の発送処理が手続される。そして、在庫数量が３８０個に更新される。
第５注文では、第１注文と注文数量が同じであるが、全く売れなかった日が連続した後であるので、在庫数量が減少しているにもかかわらず、表示価格がより安価に決定されている。【００１９】
このように、同じ注文数量であっても、そのときの在庫数量によって提示される表示価格は、図１に示したように変動する。また、注文数量が少ない場合には、基準価格が順次低下してより表示価格を定価させ購買意欲を刺激して売れ行きを促進する。また、注文数量が多い場合には十分な利益を確保するように表示価格を高く決定する。
なお、在庫数量と注文数量にかかわらず、商品ごとに、上限価格と下限価格とを予め所望の金額に設定しておくことが好ましい。
このようにして、一般の販売方法では在庫が多量に残ってしまうような商品であっても、表示価格が順次低下するので、在庫を減らしやすいという効果が得られる。【００２０】
なお、前記在庫数量Ｚは、注文が決定する度に更新したが、日付が変る度に更新するように設定してもよい。また、在庫数量によって、基準価格を更新する間隔を変更するようにしてもよい。例えば、在庫数が基準より少なくなった場合には更新間隔を短くする。
また、前記設定手段１１における基準価格Ｋは、注文が決定する度に更新したが、日付が変る度に更新するように設定してもよく、任意に設定した曜日や日や時刻等で更新するように設定してもよい。
また、以上の実施例においては、前記サーバ１に組み込まれた販売価格出力システムには、各商品についての表示価格決定手段としての関数
Ｙ＝ｆ（Ｎ，Ｚ，Ｋ）
が組み込まれている場合を例示したが、参照テーブル形式の表示価格決定手段でもよい。【００２１】
以上のシステムの他の運用形態としては、注文者が予め設定した商品に対して、前記注文者が予め設定した価格より上がった場合もしくは下がった場合に、電子メールなどの通信手段を介して前記注文者へ通知する手段を備えてもよい。
また、注文者が予め設定した商品に対して、前記注文者が予め設定した価格になった場合に、自動的に注文手続きをして、自動的に購入できるような自動注文手段を備えてもよい。
さらにまた、商品ごとに本発明のシステムに登録する手間を省力化するために、種々の補助システムを組み込むとよい。
例えば、商品ごとに、任意に設定した価格を入力することによって、基準在庫数や、基準価格の更新間隔を自動的に決定してシステムに設定する自動設定手段を備えてもよい。
また、前記自動設定手段は、さらに、前記商品ごとに任意に設定した基準在庫数を入力することによって、基準価格の更新間隔を自動的に決定してシステムに設定するように構成してもよい。
【図面の簡単な説明】
【００２２】
【図１】本発明にかかる販売価格出力システムの実施の形態の構成を示した構成図である。
【図２】前記販売価格出力システムにおける価格決定手順を説明するフローチャートである。
【図３】実施例の場合での表示価格の変動等を示す図である。
【符号の説明】
【００２３】
Ｎ  ネットワーク、インターネット
１  サーバ、
２  注文者側のコンピュータ
１１  設定手段
１２  認識手段
１３  価格決定手段
１４  価格出力手段
１５  在庫数量更新手段
【図１】
0004496250.tif 000002
【図２】
0004496250.tif 000003
【図３】
0004496250.tif 000004